(57)【要約】【課題】  スキャナ等で紙詰まりが発生しても、最初から原稿読み直しせずとも、パソコン等に１個の電子的画像ファイルを蓄積できるようにする。【解決手段】  原稿読取手段１１は、シート状原稿７から情報を光学的に読み取る。自動給紙手段９は、原稿読取手段１１にシート状原稿７を１枚毎給紙するとともに紙詰まりや解除を検出する。電子化処理手段１３は読取られた情報を電子的画像データに変換する。第１の処理制御手段１９は、紙詰まりが発生したとき、シート状原稿１枚毎に電子的画像データをネットワーク２１に順次伝送制御する。第１の処理制御手段１９は、紙詰まりが発生したとき、紙詰まり解除後に読取られた１枚分のシート状原稿７に基づく電子的画像データから順次伝送する。第２の処理制御手段２９はネットワーク２１を伝送された電子的画像データをパソコン３側の記憶手段２７に順次記憶制御する。【選択図】図１
2007067524.tif 000002
【特許請求の範囲】
【請求項１】
情報が視覚的に描かれたシート状原稿から当該情報を光学的に読取る原稿読取手段と、
この原稿読取手段に対して複数の前記シート状原稿を１枚毎に給紙するとともに、前記シート状原稿の紙詰まりおよび解除の検出が可能な自動給紙手段と、
読取られた前記情報を電子的画像データに変換処理する電子化処理手段と、
この電子化処理手段側から外部伝送路を介して伝送された前記電子的画像データを記憶する記憶手段と、
前記自動給紙手段が１枚毎の給紙における紙詰まりを検出しないとき、読取られた前記情報を前記シート状原稿１枚毎に前記電子的画像データとして前記記憶手段側へ順次伝送するよう変換および伝送制御し、前記自動給紙手段が紙詰まりを検出したとき、前記シート状原稿の紙詰まり解除検出後に読取られた１枚分の前記シート状原稿に基づく前記電子的画像データから前記記憶手段側へ順次伝送するよう変換および伝送制御するとともに、前記電子的画像データを前記記憶手段に順次記憶制御する処理制御手段と、
を具備することを特徴とする読取原稿蓄積装置。
【請求項２】
前記処理制御手段は、前記シート状原稿１枚毎の電子的画像データとして前記外部伝送路へ順次伝送するよう変換および伝送制御する第1の処理制御手段と、前記外部伝送路を介して伝送された前記シート状原稿１枚毎の電子的画像データを前記記憶手段へ順次記憶制御する第2の処理制御手段とからなる請求項１記載の読取原稿蓄積装置。
【請求項３】
前記自動給紙手段は給紙する前記シート状原稿有無の検出が可能に形成され、前記処理制御手段は、セットされた前記シート状原稿のないことを前記自動給紙手段が検出したとき、前記記憶手段に記憶された複数枚分の前記電子的画像データを１個のファイルとして出力制御する請求項１又は２記載の読取原稿蓄積装置。
【請求項４】
前記処理制御手段は、前記記憶手段に記憶された複数枚分の前記電子的画像データを１個のファイルとして出力制御したとき、前記記憶手段に記憶された前記電子的画像データを消去制御する請求項３記載の読取原稿蓄積装置。
【請求項５】
情報が視覚的に描かれた複数枚分のシート状原稿から当該情報を光学的に読取って１個のファイルとする手段を具備する読取原稿蓄積制御用コンピュータにおいて、
前記シート状原稿から当該情報を光学的に読取る処理と、
前記シート状原稿を読取る原稿読取手段に対して複数の前記シート状原稿を１枚毎に給紙するとともに前記シート状原稿の紙詰まりおよび解除を検出する処理と、
読取られた前記情報を電子的画像データに変換する処理と、
前記自動給紙手段において１枚毎の紙詰まりを検出しないとき、読取られた前記情報を前記シート状原稿１枚毎に前記電子的画像データとして順次外部伝送路を介して伝送するよう変換および伝送制御し、前記自動給紙手段が紙詰まりを検出したとき、前記シート状原稿の紙詰まり解除検出後に読取られた１枚分の前記シート状原稿に基づく前記電子的画像データから順次伝送するよう変換および伝送制御するとともに、前記外部伝送路を介して伝送された前記シート状原稿１枚毎に前記電子的画像データを順次記憶制御して１個のファイルとする処理と、
を実行するための読取原稿蓄積プログラム。
【発明の詳細な説明】
【技術分野】
【０００１】
本発明は読取原稿蓄積装置および読取原稿蓄積プログラムに係り、例えば、情報が視覚的に描かれた紙原稿等のようなシート状原稿からスキャナ等によって光学的に読取った当該情報を蓄積する読取原稿蓄積装置および読取原稿蓄積プログラムに関する。
【背景技術】
【０００２】
近年、画像データの利用要求の拡大に伴い、図４に示すように、スキャナ等の原稿読取装置１をパソコン３等にケーブル５で接続し、紙面に描かれた文字や図形等の情報が描かれたシート状原稿７（図５参照）を原稿読取装置１で読取って電子データに変換し、パソコン３等で利用するシステムが普及している。
【０００３】
従来、この種の原稿読取装置１は、ＴＷＡＩＮ（Technology Without Any Interested Name）と称される入出力インターフェースの下で動作するものが一般的であり、読取った情報の電子データをパソコン３へ送信して例えばＰＤＦ（Portable Document Format）形式ファイルに変換して利用することが行われている。
【０００４】
そして、原稿読取装置１においては、複数頁のシート状原稿７を連続して読取る場合、自動給紙装置（図示せず。）を搭載し、シート状原稿７を一枚読取るたびに読取り電子データをパソコン３へ送信し、例えばＴＷＡＩＮ対応動作の下で紙詰まり信号が出力された場合、又は所定の期間経過しても読取り電子データが送られて来ない場合、パソコン３ではそれまでの複数頁のシート状原稿７を一個のＰＤＦファイルとして保存している。
【０００５】
なお、この分野の特許文献としては特開２００２−３６６９２８号公報（特許文献１）がある。
【特許文献１】特開２００２−３６６９２８号公報
【発明の開示】
【発明が解決しようとする課題】
【０００６】
しかしながら、上述したように、連続して読取ったシート状原稿７を一枚毎の電子データとしてパソコン３へ送信し、ＴＷＡＩＮ対応動作に基づく紙詰まり信号が出力された場合や所定の期間経過しても読取り電子データが送られて来ない場合、複数頁のシート状原稿７を一個のＰＤＦファイルとして保存する構成では、以下のような欠点がある。
【０００７】
すなわち、自動給紙装置１において紙詰まりが発生したり、何らかの原因によって読取装置１自体で読取動作が停止した場合、図５に示すように、それまでの読取り頁（実線）に関する電子データが一個のＰＤＦファイルＢとして保存される一方、正常な読取り動作に復帰した後に再開された読取り頁（破線）以降の電子データが別のＰＤＦファイルＣとして保存されてしまう難点があった。
【０００８】
そのため、複数頁のシート状原稿７を１個のＰＤＦファイルＡにまとめたい場合は、再度最初から読取り直すか、分割されたファイルＢ、Ｃを別のソフトウェアを使って結合操作する必要があり、操作が面倒であった。
【０００９】
本発明はこのような課題を解決するためになされたもので、複数枚のシート状原稿の読取り中に紙詰まり等が発生しても、最初から原稿の読直しをせずとも、原稿読取装置からみた外部端末側において、読取り原稿を１個の電子ファイルにまとめて蓄積可能な読取原稿蓄積装置および読取原稿蓄積プログラムの提供を目的とする。
【課題を解決するための手段】
【００１０】
そのような課題を解決するために本発明の読取原稿蓄積装置は、シート状原稿から情報を光学的に読取る原稿読取手段と、この原稿読取手段に対して複数のシート状原稿を１枚毎に給紙するとともにそれらシート状原稿の紙詰まりおよび解除の検出が可能な自動給紙手段と、読取られた情報を電子的画像データに変換処理する電子化処理手段と、外部伝送路を介して伝送されたそれら電子的画像データを記憶する記憶手段と、その自動給紙手段が１枚毎の給紙における紙詰まりを検出しないとき、読取られた情報をシート状原稿１枚毎に電子的画像データとしてその記憶手段側へ順次伝送するよう変換および伝送制御し、その自動給紙手段が紙詰まりを検出したとき、シート状原稿の紙詰まり解除検出後に読取られた１枚分のシート状原稿に基づく電子的画像データからその記憶手段側へ順次伝送するよう変換および伝送制御し、かつ、それら電子的画像データをその記憶手段に順次記憶制御する処理制御手段とを具備している。
【００１１】
そして、本発明では、上記処理制御手段として、それらシート状原稿１枚毎の電子的画像データとしてその外部伝送路へ順次伝送するよう変換および伝送制御する第1の処理制御手段と、その外部伝送路を介して伝送されたそのシート状原稿１枚毎の電子的画像データを上記記憶手段へ順次記憶制御する第2の処理制御手段とで形成すると良い。
【００１２】
また、本発明では、給紙する上記シート状原稿有無の検出が可能に上記自動給紙手段を形成し、上記処理制御手段は、セットされたシート状原稿のないことをその自動給紙手段が検出したとき、その記憶手段に記憶された複数枚分の電子的画像データを１個のファイルとして出力制御するよう形成すると良い。
【００１３】
しかも、本発明では、上記記憶手段に記憶された複数枚分の電子的画像データを１個のファイルとして出力制御したとき、その記憶手段に記憶されたそれら電子的画像データを消去制御するよう上記処理制御手段を形成すると良い。
【００１４】
そして、本発明に係るプログラムは、情報が視覚的に描かれた複数枚分のシート状原稿から当該情報を光学的に読取って１個のファイルとする手段を具備する読取原稿蓄積制御用コンピュータにおいて、そのシート状原稿から当該情報を光学的に読取る処理と、そのシート状原稿を読取る原稿読取手段に対して複数のそのシート状原稿を１枚毎に給紙するとともにシート状原稿の紙詰まりおよび解除を検出する処理と、読取られた情報を電子的画像データに変換する処理と、その自動給紙手段において１枚毎の紙詰まりを検出しないとき、読取られた情報をシート状原稿１枚毎に電子的画像データとして順次外部伝送路を介して伝送するよう変換および伝送制御し、その自動給紙手段が紙詰まりを検出したとき、それらシート状原稿の紙詰まり解除検出後に読取られた１枚分のシート状原稿に基づく電子的画像データから順次伝送するよう変換および伝送制御し、かつ、そのシート状原稿１枚毎に電子的画像データを順次記憶制御して１個のファイルとする処理を実行するものである。
【発明の効果】
【００１５】
このような構成の本発明に係る読取原稿蓄積装置および読取原稿蓄積プログラムでは、原稿読取手段でシート状原稿から情報を光学的に読取り、自動給紙手段にてその原稿読取手段に対して複数のシート状原稿を１枚毎に給紙するとともにそれらシート状原稿の紙詰まりおよび解除を検出し、読取られた情報を電子化処理手段で電子的画像データに変換処理し、外部伝送路を介して伝送されたそれら電子的画像データを記憶手段に記憶し、その自動給紙手段が１枚毎の給紙における紙詰まりを検出しないとき、処理制御手段が、読取られた情報をそのシート状原稿１枚毎に電子的画像データとしてその記憶手段側に順次伝送するよう変換および伝送制御するとともに、その自動給紙手段が紙詰まりを検出したとき、そのシート状原稿の紙詰まり解除検出後に読取られた１枚分のシート状原稿に基づく電子的画像データから順次伝送するよう変換および伝送制御し、かつ、それら電子的画像データをその記憶手段に順次記憶制御する構成を有するから、以下の効果を有する。
【００１６】
すなわち、複数枚の原稿読取り中に紙詰まり等が発生しても、最初から原稿の読直しをせずとも、原稿読取装置からみた外部端末側において、電子的画像データを蓄積する過程で複数頁の読取り原稿を１個の電子ファイルにまとめることが可能であるし、蓄積した１個の電子ファイルが大きくなっても、原稿読取装置側に容量の大きな記憶手段を設ける必要がないし、原稿読取装置側の記憶手段の容量を圧迫しない利点がある。
【００１７】
そして、上記処理制御手段として、それらシート状原稿１枚毎に電子的画像データをその外部伝送路へ順次伝送制御する第1の処理制御手段と、その外部伝送路を介して伝送されたそのシート状原稿１枚毎の電子的画像データを上記記憶手段へ記憶制御する第2の処理制御手段とで形成する構成では、原稿読取装置および外部端末側に第１および第2の処理制御手段を分けて形成できるから、第１および第2の処理制御手段を簡素化できるし、処理速度も速くできる利点がある。
【００１８】
また、給紙する前記シート状原稿有無の検出が可能に上記自動給紙手段を形成し、セットされたシート状原稿のないことをその自動給紙手段が検出したとき、上記処理制御手段がその記憶手段から複数枚分の電子的画像データを１個のファイルとして出力制御する構成では、外部端末側自体での処理を簡素化できる。
【００１９】
しかも、上記記憶手段に記憶された複数枚分の電子的画像データを１個のファイルとして出力制御したとき、その記憶手段からそれら電子的画像データを消去制御するよう上記処理制御手段を形成する構成では、次回の誤動作を防止できる利点がある。
【発明を実施するための最良の形態】
【００２０】
以下、本発明に係る実施の形態を図面を参照して説明する。なお、従来例と共通する部分には同一の符号を付す。
【００２１】
図１は本発明に係る読取原稿蓄積装置を示すブロック図である。
【００２２】
図１において、原稿読取装置１は従来公知の機能を有する例えばスキャナであり、自動給紙手段９、原稿読取手段１１、電子化処理手段１３、作業用メモリ１５、ネットワークインターフェース（図ではネットワークＩＦと略す。）１７および第１の処理制御手段１９を具備し、原稿読取装置１から見た外部端末として例えばパソコン３に対して外部伝送路としてのネットワーク２１を介して接続されている。
【００２３】
原稿読取装置１自体の基本的機能は、本発明の要部ではないので説明および図示を省略する。
【００２４】
原稿読取装置１は、ネットワーク２１による有線や無線接続以外に、図４に示したように、ケーブル５等を介して複数台のパソコン３に直接接続される場合もある。
【００２５】
原稿読取手段１１は、情報が視覚的に文字、図形、模様として描かれたシート状原稿（図５参照）７、例えば紙原稿から当該情報を光学的に読取るものであり、所定の位置に配置されたシート状原稿７に蛍光発光体（図示せず。）から光を当て、その反射光をＣＣＤ等の受光素子にて電気信号に光電変換するものであり、電子化処理手段１３に接続されている。
【００２６】
自動給紙手段９は、複数枚のシート状原稿７のセットが可能であり、自動給紙手段９自体又は原稿読取装置１に配置された図示しないスタートスイッチのオン操作により、それらシート状原稿７を一枚毎に原稿読取手段１１に自動的に送るとともに、各シート状原稿７にあって所定の速度で読取り位置へ自動送り制御する自動原稿搬送装置（ＡＤＦ）であり、原稿読取装置１自体に当初から組込まれたり、別に作られた装置が後から搭載される場合がある。スタートスイッチのオン操作によって開始メッセージ(開始信号)も出力される。
【００２７】
しかも、自動給紙手段９は、ＴＷＡＩＮ対応に基づき動作するもので、シート状原稿７の原稿送りに紙詰まりが生じたときに紙詰まり検出信号の出力が可能で、紙詰まりしたシート状原稿７が解除されたときに解除検出信号の出力が可能であるうえ、セットされた後のシート状原稿７の有無の検出、一般的には最終頁を検出した終了メッセージ（終了信号）の出力も可能になっている。
【００２８】
なお、それらの検出機構は、従来公知の機械的スイッチや無接点センサ等を有して形成されており、操作者の明示的読取り動作中止機能を上述したスタートスイッチのオフ操作に持たせることも可能である。
【００２９】
電子化処理手段１３は、第１の処理制御手段１９の制御の下に、電気信号に光電変換されたシート状原稿の電子データを従来公知の手法によって電子的画像データに変換処理するものであり、１頁分溜まった電子データとして作業用メモリ１５に格納するものである。
【００３０】
作業用メモリ１５は、従来公知のＲＡＭ等のメモリであり、第１の処理制御手段１９の制御の下に、電子化処理手段１３からの例えば１頁分の電子的画像データを記憶するものであり、ネットワークインターフェース１７に接続されている。作業用メモリ１５は原稿読取装置１に内蔵した図示しない記憶装置で兼用可能である。
【００３１】
ネットワークインターフェース１７は、第１の処理制御手段１９の制御の下に、作業用メモリ１５からの１頁分の電子的画像データをシリアルデータに変換し、ネットワーク２１に従来公知のデータ転送プロトコルで順次伝送するものである。データ転送プロトコルとしては、例えばＦＴＰ（File Transfer Protocol）、ＳＭＴＰ(Simple Mail Transfer Protocol)、その他従来公知のものが使用される。
【００３２】
第１の処理制御手段１９は、自動給紙手段９、原稿読取手段１１、電子化処理手段１３および作業用メモリ１５に接続されており、これらを制御する以下の機能を有している。
【００３３】
すなわち、第１の処理制御手段１９は、自動給紙手段９が紙詰まりを検出しないとき、読取られたシート状原稿７の情報を電子的画像データとして電子化処理制御して作業用メモリ１５に１枚毎に記憶制御し、自動給紙手段９が紙詰まりを検出したとき、電子化処理制御や記憶制御をせず、紙詰まり解除検出後に読取られた１枚分のシート状原稿７に基づく電子的画像データから作業用メモリ１５に記憶制御する機能を有している。
【００３４】
第１の処理制御手段１９は、作業用メモリ１５に記憶された１枚分の電子的画像データをネットワーク２１に順次伝送制御するものである。
【００３５】
第１の処理制御手段１９は、自動給紙手段９のスタートスイッチのオン操作によって出力された開始メッセージや、自動給紙手段９がシート状原稿７のないことを検出したとき又は操作者がスタートスイッチのオフ操作して明示的に読取り動作中止させたときの終了メッセージをネットワーク２１に伝送制御するものである。
【００３６】
ネットワーク２１に接続された外部端末としての例えばパソコン３は、パソコン本来の機能を有する他、ネットワークインターフェース（図ではネットワークＩＦと略す。）２３、作業用メモリ２５、記憶手段２７および第２の処理制御手段２９を具備しており、それらネットワークインターフェース２３、作業用メモリ２５および記憶手段２７は第２の処理制御手段２９の制御の下で動作するものである。
【００３７】
ネットワークインターフェース２３は、データ転送プロトコルで伝送されたシリアルデータを元の電子的画像データに変換して作業用メモリ２５に格納するものである。
【００３８】
作業用メモリ２５は従来公知のＲＡＭ等であって１頁分の電子的画像データを記憶するものであり、記憶手段２７に接続されている。なお、記憶手段２７の一部を用いることも可能である。
【００３９】
記憶手段２７は、従来公知のフラシュメモリやハーディスク（ＨＤＤ）等からなる読書き可能なメモリであり、作業用メモリ２５の１頁分の電子的画像データを順次追加的に記憶するものであり、記憶された電子的画像データを例えばパソコン３本体へ出力可能になっている。
【００４０】
第２の処理制御手段２９は、伝送された読取り開始メッセージを取得したとき、ネットワークインターフェース２３における電子的画像データの変換制御、作業用メモリ２５や記憶手段２７への格納制御等を有する他、伝送された終了メッセージを取得したとき、記憶手段２７内の電子的画像データを１個のファイルとして出力制御する機能を有している。
【００４１】
なお、原稿読取装置１に配置された電子化処理手段１３、作業用メモリ１５、ネットワークインターフェース１７および第１の処理制御手段１９、並びに、パソコン３内に配置されたネットワークインターフェース２３、作業用メモリ２５、記憶手段２７および第２の処理制御手段２９は、例えば図示しない種々の演算判断機能を有するＣＰＵ、このＣＰＵの動作プログラムを格納したＲＯＭおよび入出力インターフェースを有する読取原稿蓄積制御用のマイクロコンピュータで構成されており、原稿読取装置１やパソコン３に搭載された従来機能を担うマイクロコンピュータにて兼用構成可能である。
【００４２】
そして、パソコン３は、第２の処理制御手段２９の制御の下で記憶手段２７から出力された１個のファイル分の電子的画像データを、従来公知のファイル形式例えばＰＤＦファイルに変換する機能を有している。
【００４３】
次に、本発明に係る読取原稿蓄積装置の動作を図２および図３のフローチャートを用いて説明する。
【００４４】
図２のフローチャートは原稿読取装置１側の動作を、図３のフローチャートはパソコン３側の動作を示し、図２および図３ではシート状原稿７を単に原稿と略す場合もある。
【００４５】
図２において、シート状原稿７が自動給紙手段９にセットされ、原稿読取装置１の読取りスタートボタンが押下されると、処理制御手段１９の制御の下に、ステップＳ１にて開始メッセージをネットワーク２１へ伝送されて、ステップＳ２へ移る。
【００４６】
ステップＳ２ではシート状原稿７の有無が検出され、ＮＯの場合には検出されるまで待機し、検出されてステップＳ２がＹＥＳになると、次のステップＳ３において一枚毎（単位）でシート状原稿７の読取り処理が行われる。
【００４７】
続くステップＳ４では、処理制御手段１９がシート状原稿７の紙詰まり発生の有無を検出し、紙詰まりが発生せずに良好に紙送りがなされていればステップＳ４がＮＯとなり、ステップＳ５にてシート状原稿７の情報を電気信号に光電変換するとともに１枚毎の電子的画像データに電子化変換する。
【００４８】
続くステップＳ６では１枚毎の電子的画像データが、ネットワーク２１へ順次伝送制御され、ステップＳ７に移る。
【００４９】
ステップＳ７では、次に読取るシート状原稿７の有無が監視され、残りのシート状原稿７がある場合、ステップＳ７がＹＥＳとなってステップＳ３に戻り、上述した処理を繰返す。
【００５０】
他方、紙詰まりが発生して上述したステップＳ４がＹＥＳの場合には、ステップＳ８にて読取り処理を停止するとともにシート状原稿７の正常状態が検出され、紙詰まり原稿が残っていてＮＯの場合には待機し、除去されてシート状原稿７の正常状態が検出されてＹＥＳの場合にはステップＳ３に戻る。
【００５１】
残りのシート状原稿７がない場合、ステップＳ７がＮＯとなってステップＳ９にて終了メッセージをネットワーク２１へ伝送するとともに、作業用メモリ１５に残っている電子的画像データを削除制御して終了する。
【００５２】
次に、図３において、パソコン３側の処理がスタートすると、第２の処理制御手段２９の制御の下に、ステップＳ１１にて開始メッセージの受信の有無が検出され、ＮＯの場合には検出されるまで待機し、検出されてステップＳ１１がＹＥＳになると、次のステップＳ１２において一時ファイル作成準備処理が行われる。
【００５３】
続くステップＳ１３では、１枚毎の電子的画像データの受信の有無が検出され、ＮＯの場合には検出されるまで待機し、検出されてステップＳ１３がＹＥＳになると、次のステップＳ１４において１枚毎の電子的画像データを順次追加的に記憶手段２７へ一時ファイルとして追加的に順次記憶する。
【００５４】
続くステップＳ１５では、終了メッセージの有無が検出され、ＮＯの場合にはステップＳ１３へ戻って上述した動作を繰返し、１枚毎の電子的画像データが順次追加的に記憶手段２７へ順次記憶されていく。
【００５５】
終了メッセージの有無が検出されてステップＳ１５がＹＥＳになると、次のステップＳ１６において記憶手段２７内の複数頁分の電子的画像データが１個のファイルに作成される。
【００５６】
さらに、ステップＳ１７では、第２の処理制御手段２９が記憶手段２７に残っている電子的画像データを削除制御して終了する。
【００５７】
このような本発明に係る読取原稿蓄積装置では、自動給紙手段９が原稿読取手段１１に対して複数のシート状原稿７を１枚毎に給紙するとともにそれらシート状原稿の紙詰まりおよび解除を検出し、原稿読取手段１１がシート状原稿７から情報を光学的に読取り、読取られた情報を電子化処理手段１３が電子的画像データに変換処理し、その自動給紙手段が１枚毎の給紙における紙詰まりを検出しないとき、第１の処理制御手段１９が、読取られた情報をそのシート状原稿１枚毎に電子的画像データとしてネットワーク２１に順次伝送するよう変換および伝送制御するとともに、その自動給紙手段が紙詰まりを検出したとき、そのシート状原稿７の紙詰まり解除検出後に読取られた１枚分のシート状原稿に基づく電子的画像データから順次伝送するよう変換および伝送制御する一方、第２の処理制御手段２９が、ネットワーク２１を介して伝送されたそれら電子的画像データをパソコン３側の記憶手段２７に順次記憶制御する構成となっている。
【００５８】
そのため、外部端末としてのパソコン３側でそれら電子的画像データ７を頁毎に一時的に蓄積する過程で複数頁の読取り原稿を１個の電子ファイルにまとめることが可能で、シート状原稿７の連続読取り中に紙詰まりが発生しても、再度最初から読取り直しをする必要がなくなるし、途中から再読取りを行っても一個のファイルにまとめることが可能で、操作性が向上する。
【００５９】
しかも、外部端末としてのパソコン３側には、一般的に容量の大きな記憶装置が搭載されているから、蓄積した１個の電子ファイルが大きくなってもパソコン３側で支障はない反面、原稿読取装置１側に容量の大きな記憶手段を設ける必要がなく、原稿読取装置１側の記憶手段の容量を圧迫しない。
【００６０】
さらに、読取ったシート状原稿７に対応したファイル数が増加しないことから、ファイルの結合処理といったその後の余分な処理も不要となり、この観点からも操作性が向上する。
【００６１】
そして、原稿読取装置１と外部端末としてのパソコン３側で、第１、第２の処理制御手段１９、２９を分けて構成したから、各々の機能を原稿読取装置１とパソコン３側で独自に動作させ、ネットワーク２１を介してやり取りする必要がないから、第１および第2の処理制御手段１９、２９の構成の簡素化が可能であるうえ、処理速度も速くなる。
【００６２】
また、自動給紙手段９がシート状原稿７のないことを検出したとき、外部端末としてのパソコン３では、記憶手段２７から１個のファイル分の電子的画像データが出力させ、そのまま使用してＰＤＦファイルに変換できるから、ファイル加工作成作業の効率が良好である。
【００６３】
しかも、記憶手段２７に記憶された複数枚分の電子的画像データを１個のファイルとして出力したとき、第２の処理制御手段２９が記憶手段２７に記憶された電子的画像データを消去制御するから、次回、読取り動作をさせる場合に記憶手段２７内の初期化が不要で、誤動作を防げる利点がある。
【００６４】
そして、本発明において、第１、第２の処理制御手段１９、２９は原稿読取装置１又はパソコン３、更には図示しない第３の装置に統一して配置し、ネットワーク２１を介して原稿読取装置１およびパソコン３を制御させることも可能である。
【００６５】
そのネットワーク２１も本発明において限定されず、従来公知のネットワーク２１の他、単なるケーブル５の他、種々の外部伝送路で実施可能である。
【００６６】
また、上述した実施の形態では、シート状原稿７の紙詰まりを例に説明したが、本発明では、何らかの原因によって読取装置１自体で読取り中の動作が頁途中で停止した場合等も紙詰まり等に含むものである。
【００６７】
さらに、本発明におけるシート状原稿７は紙原稿に限らず、プラスチックフィルムその他、シート状媒体に文字や図形等の情報が描かれたものに広く応用可能である。
【００６８】
ところで、本発明に係る原稿読取プログラムにつき言及すれば、複数枚分のシート状原稿７から当該情報を光学的に読取って１個のファイルとする手段を具備する読取原稿蓄積制御用コンピュータにおいて、そのシート状原稿７から当該情報を光学的に読取る処理と、そのシート状原稿７を読取る原稿読取手段１１に対して複数のそのシート状原稿７を１枚毎に給紙するとともにシート状原稿７の紙詰まりおよび解除を検出する処理と、読取られた情報を電子的画像データに変換する処理と、その自動給紙手段９において１枚毎の紙詰まりを検出しないとき、読取られた情報をシート状原稿１枚毎に電子的画像データとして順次ネットワーク２１を介して伝送するよう変換および伝送制御し、その自動給紙手段９が紙詰まりを検出したとき、それらシート状原稿７の紙詰まり解除検出後に読取られた１枚分のシート状原稿７に基づく電子的画像データから順次伝送するよう変換および伝送制御し、そのシート状原稿１枚毎に電子的画像データを順次記憶制御して１個のファイルとする処理を実行するものである。
【図面の簡単な説明】
【００６９】
【図１】本発明に係る読取原稿蓄積装置の実施の一形態を示すブロック図である。
【図２】図１の読取原稿蓄積装置の動作例を示す原稿読取装置側のフローチャートである。
【図３】図１の読取原稿蓄積装置の動作例を示す外部端末側のフローチャートである。
【図４】本発明の参考となる読取原稿蓄積装置の概略的構成を示す図である。
【図５】図４の読取原稿蓄積装置における動作を説明する図である。
【符号の説明】
【００７０】
１  原稿読取装置（スキャナ）
３  パソコン（端末）
５  ケーブル（外部伝送路）
７  シート状原稿
９  自動給紙手段
１１  原稿読取手段
１３  電子化処理手段
１５、２５  作業用メモリ
１７、２３  ネットワークインターフェース（ネットワークＩＦ）
１９  第１の処理制御手段（処理制御手段）
２１  ネットワーク（外部伝送路）
２７  記憶手段
２９  第２の処理制御手段（処理制御手段）
Ａ、Ｂ、Ｃ  ファイル
【図１】
2007067524.tif 000003
【図２】
2007067524.tif 000004
【図３】
2007067524.tif 000005
【図４】
2007067524.tif 000006
【図５】
2007067524.tif 000007